(57)【要約】【課題】  振動と騒音を発生することが少ないサイレントチェーン伝動装置を提供する。【解決手段】  サイレントチェーン伝動装置において、（A）サイレントチェーンを直線状に伸長したときの歯列の輪郭形状を、（1） ピッチラインより歯元側では、圧力角の小さいラック歯形と同一形状とし、  （2）ピッチラインより歯末側では、上記歯元側の歯形に滑らかに接続する外方に凸の滑らかな曲線とし、更に、（B）スプロケットの歯形を、上記サイレントチェーンを直線状に伸長したときの歯列の輪郭形状と同一の歯形を有するラックにより歯切り、創成される歯形とすること。【選択図】図１
2006349077.tif 000002
【特許請求の範囲】
【請求項１】
それぞれ一対の歯を有する複数のリンクプレート（100、101、102、103、104、・・・）を連結ピン（210、221、232、243、・・・）によりエンドレスに連結して成るサイレントチェーン（10）と、そのサイレンとチェーン（10）が巻き掛けられる一組のスプロケット（30）とから成るサイレントチェーン伝動装置において、
（A）サイレントチェーン（10）を直線状に伸長したときの歯列の輪郭形状が、
（1）ピッチライン（Ｌ1、Ｌ2）より歯元側では、圧力角の小さいラック歯形と同一形状（pq、st）であり、
（2）ピッチライン（Ｌ1、Ｌ2）より歯末側では、上記歯元側の歯形に滑らかに接続する外方に凸の滑らかな曲線（qrs）から成ること。
及び
（B）スプロケット（30）の歯形が、上記サイレントチェーン（10）を直線状に伸長したときの歯列の輪郭形状（pqrst）と同一の歯形を有するラックにより歯切り、創成される平歯車と同形の歯形であること。
を特徴とする上記のサイレントチェーン伝動装置。
【請求項２】
上記ラック歯形の圧力角が0°である、請求項1に記載のサイレントチェーン伝動装置。
【請求項３】
上記ラックの外方に凸の滑らかな曲線が、それぞれ歯形中心線とピッチライン（Ｌ1、Ｌ2）の交点O1、O2に曲率中心を有し、上記ラック歯形（pq、st）に滑らかに接続する半円弧（qrs）である、請求項1又は2に記載のサイレントチェーン伝動装置。
【発明の詳細な説明】
【技術分野】
【０００１】
本発明は、一対の歯を有する複数のリンクプレートを連結ピンによりエンドレスに連結して成るサイレントチェーンと、そのサイレンとチェーンが巻き掛けられる一対のスプロケット、即ち駆動側スプロケット及び従動側スプロケット、とから成るサイレントチェーン伝動装置に関する。
【背景技術】
【０００２】
各種運輸機械、産業機械等の動力伝達装置として、サイレントチェーン伝動装置が広く用いられている。
サイレントチェーンは、一般に、各々一対の歯および連結ピン孔を有する多数のリンクプレートを、各連結ピン孔内に挿入した連結ピンによりエンドレスに連結して成る。
【０００３】
サイレントチェーンによる動力伝達の際には、リンクプレートの歯面がスプロケットの歯と噛み合うことにより、駆動側スプロケットから従動側スプロケットに動力が伝達されるようになっている。
【０００４】
このようなサイレントチェーンでは、チェーンがスプロケットと噛み合う際に発生するピッチ音がノイズの原因になっている。このようなピッチ音を下げるためには、チェーンのリンクプレートとスプロケットが衝突することなく、両者の接触が滑らかに行われるようにすることが必要である。
【０００５】
また、スプロケットとの噛合時に発生するチェーンの上下振動もノイズの原因になっており、このような上下振動を低減させるためには、チェーンが一直線上を進行しつつ滑らかにスプロケットに噛み合う必要がある。
【０００６】
スプロケットに向かって一直線上を進行してきたチェーンがスプロケットに衝突することなくかつ上下振動を起こすことなくスプロケットに対して円滑に噛み合うようになれば、チェーンの騒音を一層低減させることが可能である。
【０００７】
このような目的を達成するため、スプロケットの歯の形状を、サイレントチェーンの直線部分と同一歯形を有するラックカッタにより創成される平歯車と同じ形状とすることが提案されている。
すなわち、チェーンの直線部分をラックカッタに、またスプロケットをこのラックカッタにより歯切りされる平歯車に置き換えて考えることが可能である。
【０００８】
而して、ラックカッタの歯形として、様々な提案がなされてきたが、現在までのところ、これらの問題は完全には解決されておらす、一層の改良が求められている。
【０００９】
【特許文献１】特開平０８‐０７４９４０号公報
【特許文献２】特開平０８‐１８４３４８号公報
【特許文献３】特開２０００‐１８４３４８号公報
【発明の開示】
【発明が解決しようとする課題】
【００１０】
従来公知のものに比べて作動時のチェーンの振動及び騒音が極めて少なく、伝達効率が高く、耐久性のあるサイレントチェーン伝動装置を提供することである。
【課題を解決するための手段】
【００１１】
本発明は、リンクプレートの歯の形状を、圧力角の小さいラック歯形、望ましくは圧力角０のラック歯形と、そのラック歯形の先端部に接続される外方に凸の曲線歯形とにより構成し、スプロケットの歯形を、上記形状の歯を有するリンクプレートを連結ピンにより連結して成るサイレントチェーンを直線状に伸張したときの輪郭形状と同一の歯形を有するラックを用いて、歯切り、創成することにより得られる歯形とし、これらのサイレントチェーンとスプロケットを用いてサイレントチェーン伝動装置を形成することによって達成される。
【００１２】
更に具体的に言えば、本発明は、それぞれ一対の歯を有する複数のリンクプレートを連結ピンによりエンドレスに連結して成るサイレントチェーンと、そのサイレンとチェーンが巻き掛けられる一対のスプロケットとから成るサイレントチェーン伝動装置において、
（A）サイレントチェーンを直線状に伸長したときの歯列の輪郭形状が、
（1）ピッチラインより歯元側では、圧力角の小さいラック歯形と同一形状であり、
（2）ピッチラインより歯末側では、上記歯元側の歯形に滑らかに接続する外方に凸の滑らかな曲線から成ること。
及び
（B）スプロケットの歯形が、上記サイレントチェーンを直線状に伸長したときの歯列の輪郭形状と同一の歯形を有するラックにより歯切り、創成される歯形であること。
を特徴とする上記のサイレントチェーン伝動装置により達成される。
【００１３】
上記本発明の望ましい実施例においては、ラック歯形の圧力角が0°とされ、上記ラックの外方に凸の滑らかな曲線が、それぞれ歯形中心線とピッチラインの交点に曲率中心を有し、上記ラック歯形に滑らかに接続する半円弧とされる。
【発明の効果】
【００１４】
本発明に係るサイレントチェーン伝動装置においては、リンクプレートの歯とスプロケットとの噛み合い開始点において、リンクプレートの歯とスプロケットの歯の接触面が、歯の進行方向と直角となるため、噛み合い開始時にリンクプレートの上下振動や騒音が発生せず、かつ一つのリンクプレートの連結ピンがピッチライン上にある間は接触開始後も噛み合い接触面は歯の進行方向と直角に保たれるので、スプロケットとの噛み合い回転移行が円滑に進行し、又、両者の歯が噛み合って回転するときは円弧歯形が強固に噛み合った状態で回転が行われるので、振動や騒音の発生が少なく、摩擦による損耗が減少し、高い動力伝達効率が達成されるものである。
【発明を実施するための最良の形態】
【００１５】
図１は、本発明に係るサイレントチェーン伝動装置の一実施例の要部を示す説明図であり、図中、10は、複数のリンクプレート100、101、102、103、104、・・・を、連結ピン210、221、232、243、254、・・・でエンドレスに連結して成るサイレントチェーン、30はスプロケット、40はスプロケットの回転軸である。
図には省略されているが、サイレントチェーン10は図の右方で少なくとも一つの他のスプロケットに巻き掛けられており、それらのスプロケットの間で、回転及び動力の伝達が行われる。
【００１６】
各レリンクプレート100、101、102、103、104、・・・はいずれも同形の一対の歯を有し、歯の中心線上には連結ピン挿通孔が設けられ、ここに挿通された連結ピン210、221、232、243、・・・によりエンドレスに連結されて、サイレントチェーン10を形成し、スプロケット30と図示されていない他の少なくとも一つスプロケットに巻き掛けられ、そのうちの一つのスプロケットが原動機などで駆動され、その主動側のスプロケットから従動側のスプロケットに回転と動力が伝達される。
【００１７】
連結ピン210、221、232、243、254、・・・の中心の軌跡の内、スプロケットと共に回転するときのスプロケット上の軌跡をピッチサークルＣと言うものとし、直線運動部分をピッチラインＬ1、Ｌ2と言うものとする。
ピッチラインＬ1、Ｌ2はピッチサークルＣの接線である。
【００１８】
リンクプレート100、101、102、103、104、・・・の歯形pqrstは、ピッチラインＬ1、Ｌ2の歯元側では、圧力角0のラックと同形の直線pq及びstであり、歯末側では、これらの直線pq及びstに滑らかに接続する外方に凸の曲線qrsである。
曲線qrsは連結ピン210、221、232、243、254・・・の中心を曲率中心とする半円弧であることが望ましい。
【００１９】
スプロケット30の歯形曲線abcdefは、上記サイレントチェーン10が直線状に引き伸ばされた状態における、輪郭形状と同一の歯形を有するラックにより創成される歯形曲線である。
【００２０】
即ち、上記のラックと、スプロケット30が、噛み合い条件を満たすように、相対歯切り運動をするとき、スプロケット30のピッチサークルに沿って創成される平歯車歯形と同形の歯形である。
歯形曲線abcdefの内、ab部分は歯先円、cd部分は、ラックの歯形pqにより創成されるインボリュート、bc部分はab部分とcd部分を滑らかに繋ぐ微小円弧、def部分はラックの円弧歯形qstにより創成される円弧歯形、fg部分はラックの歯形stにより創成されるインボリュートである。
又、図中の点zは、ピッチラインＬ2側の接触終了点である。
【００２１】
本発明に係るサイレントチェーンにおいては、スプロケット30及びリンクプレート100、101、102、103、104、・・・の歯形がこのような形状であるので、図示されている両者の接触開始点においては、スプロケット30の歯形曲線上の点cとリンクプレート101の後進側のラック歯形の端点qが、圧力角0で接触し、以降、ラック歯形pqがピッチラインＬ1の端点に達するまで、ラック歯形pqがスプロケットのインボリュート歯形部分cdと圧力角0の接触を継続し、上記ピッチラインＬ1の端点において、リンクプレート101の円弧歯形部分qstがスプロケットの歯底の円弧歯形defと強固に噛み合い、円運動に移行するので、噛み合い開始点において、リンクプレート100、101、102、103、104、・・・の上下動が発生せず、噛み合いが円滑に行われるので、騒音や振動が発生しない。
更に、サイレントチェーン10とスプロケット30の間の回転及び動力の伝達は円弧歯形部分の強力な噛み合いによって行われるので、強固で効率の良い動力の伝達が可能となる。
【００２２】
本発明の構成は、如上の実施例の構成に限定されるものではなく、例えば、リンクプレートの歯形中、ラック部分の圧力角は０に限定されるものでなく、微小な０でない正の圧力角、例えば、5°程度又はそれ以下、3°又は1°又は30秒等とすることができ、曲線部分qstの形状も円弧以外の形状とすることができるものである。
上記の説明では、リンクプレートの歯形中、外側の歯面の包絡線としてスプロケットの歯を創成する例を示したが、場合によっては内側の歯面の包絡線によってスプロケットの歯を創成したり、あるいは内外両面の歯形によることも可能である。
【産業上の利用可能性】
【００２３】
本発明は叙上の如く構成されるので、本発明に係るサイレントチェーン伝動装置は、各種の運輸機械、産業機械用の動力伝達装置として広く利用できるものである。
【図面の簡単な説明】
【００２４】
【図１】図１は、本発明に係るサイレントチェーン伝動装置の一実施例の要部を示す説明図である。
【符号の説明】
【００２５】
10 サイレントチェーン
100、101、102、103、104、・・・リンクプレート
210、221、232、243、253、・・・連結ピン
30    スプロケット
40    回転軸
【図１】
2006349077.tif 000003